(57)【要約】ミッドソールと、ミッドソールに着脱可能に連結されたアッパーと、ミッドソールに着脱可能に連結されたソールとを含む第１履物物品を提供する。また、ソールと、ソールに着脱可能に連結されたアッパーと、ソールに着脱可能に連結されたつま先支持部とを含む第２履物物品を提供する。更に、ソールと、ソールに取り付けられた第１アッパー部分と、靴を着用する間に第１アッパー部分に連結され得るように、第１アッパー部分に着脱可能に連結された第２アッパー部分とを含む第３履物物品を提供する。【選択図】図９
2017527420.tif 000002
【特許請求の範囲】
【請求項１】
ミッドソールと、
前記ミッドソールに着脱可能に連結されたアッパーと、
前記ミッドソールに着脱可能に連結されたソールと、
を含む履物物品。
【請求項２】
請求項１に記載の履物物品であって、ブーツ、靴、サンダル、またはウェッジを含む履物物品。
【請求項３】
請求項１に記載の履物物品であって、前記アッパーは、複数の保持部材によって、前記ミッドソールに着脱可能に連結された履物物品。
【請求項４】
請求項１に記載の履物物品であって、前記ソールは、複数の保持部材によって、前記ミッドソールに着脱可能に連結された履物物品。
【請求項５】
請求項３または４に記載の履物物品であって、前記保持部材は、プレスフィット保持部材を含む履物物品。
【請求項６】
請求項１に記載の履物物品であって、前記ソールは、前記履物物品の正面部分を支持するための前方ソールと、前記履物物品の後方部分を支持するためのヒールとを備える履物物品。
【請求項７】
請求項１に記載の履物物品であって、前記ソールは、前記履物物品の着用者の足を支持するためのインソールを備える履物物品。
【請求項８】
請求項１に記載の履物物品であって、前記アッパーは、前記インソールによって、前記ミッドソールに取り付けられた履物物品。
【請求項９】
請求項１に記載の履物物品であって、更に、前記ミッドソールに容器を備え、前記容器は、ａ）前記靴の構成要素、ｂ）前記ミッドソールを支持するためのシャンク、または、ｃ）近距離通信装置のいずれかを収めるように構成された履物物品。
【請求項１０】
請求項１に記載の履物物品であって、前記アッパーは、第１アッパー部分および第２アッパー部分を備える履物物品。
【請求項１１】
請求項１に記載の履物物品であって、前記ミッドソールは、長さ調節が可能である履物物品。
【請求項１２】
請求項１に記載の履物物品であって、前記アッパーは、ａ）前記ミッドソールのチャネルによって受容され、かつ、前記ミッドソールのチャネル内に係止されるように構成された係止部材、または、ｂ）前記履物物品のインソールに着脱可能に連結する取付部分のいずれかを備える履物物品。
【請求項１３】
ソールと、
前記ソールに着脱可能に連結されたアッパーと、
前記ソールに着脱可能に連結されたつま先支持部と、
を含む履物物品。
【請求項１４】
請求項１３に記載の履物物品であって、前記つま先支持部は、ボスを備える履物物品。
【請求項１５】
請求項１３に記載の履物物品であって、前記ソールは、前記アッパーに連結されたミッドソールと、前記ミッドソールに着脱可能に連結されたアウトソールとを備える履物物品。
【請求項１６】
請求項１３に記載の履物物品であって、前記アッパーは、複数の保持部材を使用して、前記ソールに着脱可能に連結された履物物品。
【請求項１７】
ソールと、
前記ソールに取り付けられた第１アッパー部分と、
靴を着用する間に前記第１アッパー部分に連結され得るように、前記第１アッパー部分に着脱可能に連結された第２アッパー部分と
を含む履物物品。
【請求項１８】
請求項１７に記載の履物物品であって、前記第１アッパー部分は、前記ソールに着脱可能に取り付けられた履物物品。
【請求項１９】
請求項１７に記載の履物物品であって、前記ソールは、前記第１アッパー部分に連結されたミッドソールと、前記ミッドソールに着脱可能に連結されたアウトソールとを備える履物物品。
【請求項２０】
請求項１７に記載の履物物品であって、前記第２アッパー部分は、内部ポケットを含む履物物品。
【請求項２１】
請求項１７に記載の履物物品であって、前記第２アッパー部分は、ジッパー、靴紐、または面ファスナーによって、前記第１アッパー部分に着脱可能に連結された履物物品。
【請求項２２】
ミッドソールと、
前記ミッドソールに着脱可能に連結するためのソールと、
前記ミッドソールに着脱可能に連結するための各アッパーを備える複数のアッパーと、
を含み、
前記ミッドソール、ソール、および複数のアッパーのうちの１つのアッパーは、請求項１に記載した靴を形成するように構成された、履物物品の組み立て用キット。
【請求項２３】
請求項２２に記載のキットであって、更に、ヒールおよびシャンクを備え、前記シャンクは、前記ヒールの高さにおいて前記ミッドソールを支持するように構成されたキット。
【発明の詳細な説明】
【技術分野】
【０００１】
本発明は、適応可能な履物に関する。
【背景技術】
【０００２】
履物は、当初、歩く際や走る際に、足を保護し、快適性を提供するための手段として提供されていた。例えば、靴により、歩く際や走る際に、着用者の足を鋭い物体から保護し、グリップを付与し、快適性を提供することができる。
【０００３】
より最近は、ファッションが履物に大きな影響を与えてきた。着用者の背丈を伸ばす以外に機能的な目的が殆ど認められない靴の一例として、ハイヒールが挙げられる。
【０００４】
先行技術における履物の問題として、ファッションは時代と共に急速に変化することが挙げられる。従って、まだ良好な状態にある靴は、新しいスタイルの靴のために処分されることも多く、これは、費用がかかる上に環境にも良くない。
【０００５】
更に、一般的に、季節毎に異なる靴が提供される。例えば、冬用履物にはハイブーツが含まれる一方で、夏用履物には靴またはローブーツが含まれる。
【０００６】
特定のファッションや目的に適応可能である靴を提供するために、ある種の試みがなされてきた。しかしながら、そのような靴は、一般的に快適性に欠け、修正が困難であり、修正方法が非常に限定される。
【０００７】
本明細書に先行技術文献が参照されていても、この参考文献は、公報がオーストラリアまたは任意の他国において、当技術分野における共通の一般的知識の一部を形成するという承認を構成するものではないことを明白に理解されよう。
【発明の概要】
【０００８】
本発明は、上述した短所のうち少なくとも１つを少なくとも部分的に克服するか、または、消費者に便利な、あるいは商業的な選択肢を提供する履物に関する。
【０００９】
前述した内容を視野に入れて、第１の態様によると、本発明は、広義には、
ミッドソールと、
ミッドソールに着脱可能に連結されたアッパーと、
ミッドソールに着脱可能に連結されたソールと、
を含む履物物品に関する。
【００１０】
特定の実施形態によると、履物物品は、非常に多目的に利用可能であり、靴の異なる部分をスタイルや快適性に合わせて、かつ、消耗した際に交換することができる。
【００１１】
靴は、インソールおよびアウトソールを備えることができる。
【００１２】
履物物品は、ブーツ、靴、サンダル、またはウェッジを含むことができる。
【００１３】
アッパーは、複数の保持部材によって、ミッドソールに着脱可能に連結されてもよい。同様に、ソールは、複数の保持部材によって、ミッドソールに着脱可能に連結されてもよい。
【００１４】
保持部材は、プレスフィット保持部材であってもよい。
【００１５】
保持部材は、球状ヘッドと、該球状ヘッドを受容するための保持溝とを備えることができる。保持溝は、球状ヘッドを保持するための保持アームを含んでもよい。
【００１６】
ミッドソールは、保持溝の少なくとも一部を含んでもよい。アッパーは、球状ヘッドの一部を含むことができる。同様に、ソールは、球状ヘッドの一部を含むことができる。ミッドソールは、全ての保持溝を含んでもよい。
【００１７】
アッパーの球状ヘッドおよびソールの球状ヘッドをミッドソールの周囲に沿って交互に配置することにより、ミッドソールに取り付けられるように、それらをアッパーおよびソール上に配置してもよい。
【００１８】
ソールは、履物物品の正面部分を支持するための前方ソールと、履物物品の後方部分を支持するためのヒールとを備えることができる。
【００１９】
ソールは、履物物品の着用者の足を支持するためのインソールを備えることができる。インソールは、更に、アッパーの取付手段を提供することができる。従って、アッパーは、インソールによってミッドソールに間接的に連結される。
【００２０】
ミッドソールに容器を設けてもよい。容器は、靴の構成要素を収めるように構成されることができる。靴は、容器内に近距離通信装置を含んでもよい。容器は、ミッドソールを支持するためのシャンクを受容するように構成されてもよい。
【００２１】
球状ヘッドは、金属またはプラスチックから形成することができる。保持溝は、金属トラックからなることができる。
【００２２】
アッパーは、レザー、キャンバス、または任意の他の好適な天然あるいは人工材料からなることができる。ソールは、樹脂、ゴム、レザー、または任意の他の好適な材料からなることができる。
【００２３】
アッパーは、第１アッパー部分および第２アッパー部分を備えることができる。第１アッパー部分は、ミッドソールの第１側面からミッドソールの第２側面に延在することができる。
【００２４】
第１アッパー部分は、球状ヘッドと、球状ヘッド間を延在する中間部分とを備えることができる。中間部分は、金属製球状ヘッドが延在するレザー部分を備えることができる。代替的に、第１アッパー部分は、一体的に形成されてもよい。
【００２５】
ミッドソールの長さは、調節可能であってもよい。
【００２６】
ヒールは、相互に着脱可能に連結された第１および第２ヒール部分を備えることができる。
【００２７】
アッパーは、ミッドソールのチャネルによって受容され、かつ、ミッドソールのチャネル内に係止されるように構成された係止部材を備えることが好ましい。
【００２８】
第２の態様によると、本発明は、広義には、
ソールと、
ソールに着脱可能に連結されたアッパーと、
ソールに着脱可能に連結されたつま先支持部と、
を含む履物物品に関する。
【００２９】
つま先支持部により、履物物品を靴から、例えばフリップフロップに適応することができる。
【００３０】
つま先支持部は、ボスを備えることができる。ボスにより、足がサンダルから浮き上がるのを防ぐ。
【００３１】
ソールは、アッパーに連結されたミッドソールと、ミッドソールに着脱可能に連結されたアウトソールとを備えてもよい。
【００３２】
ソールは、ミッドソールおよびインソールを備えてもよく、この場合、インソールは、ミッドソールに着脱可能に連結される。
【００３３】
アッパーは、第１の態様における保持部材を使用して、ソールに着脱可能に連結されてもよい。
【００３４】
第３の態様によると、本発明は、広義には、
ソールと、
ソールに取り付けられた第１アッパー部分と、
靴を着用する間に第１アッパー部分に連結され得るように、第１アッパー部分に着脱可能に連結された第２アッパー部分と、
を含む履物物品に関する。
【００３５】
第１および第２アッパー部分により、履物物品は、例えば靴からブーツへと高さを調節することができる。
【００３６】
第１アッパー部分は、ソールに着脱可能に取り付けられてもよい。
【００３７】
ソールは、第１アッパー部分に連結されたミッドソールと、ミッドソールに着脱可能に連結されたアウトソールとを備えることができる。ソールは、ミッドソールと、ミッドソールに連結されたインソールとを備えることができる。
【００３８】
第２アッパー部分は、内部ポケットを含んでもよい。
【００３９】
第１アッパー部分は、着用者の足を包み込む靴状アッパー部分を備えることができ、第２アッパー部分は、着用者のふくらはぎを包み込む管状部分を備えることができる。
【００４０】
第２アッパー部分は、ジッパーによって、第１アッパー部分に着脱可能に連結されてもよい。代替的に、第２アッパー部分は、靴紐、面ファスナー、スタッド、またはボタンによって、第１アッパー部分に着脱可能に連結されてもよい。
【００４１】
第４の態様によると、本発明は、広義には、
ミッドソールと、
ミッドソールに着脱可能に連結するためのソールと、
ミッドソールに着脱可能に連結するための各アッパーを備える複数のアッパーと、
を含み、
ミッドソール、ソール、および複数のアッパーのうちの１つのアッパーは、第１の態様に従って靴を形成する
キットに関する。
【００４２】
キットは、更に、インソールを備えることができ、この場合、インソールは、ミッドソールに着脱可能に連結される。アッパーは、インソールによって、ミッドソールに間接的に連結されてもよい。
【００４３】
キットは、更に、ミッドソールを支持するためのシャンクを備えることができる。
【００４４】
キットは、ヒールおよびシャンクを備えてもよく、この場合、シャンクは、ヒールの高さにおいて、ミッドソールを支持するように構成される。
【００４５】
本明細書に記載した任意の特徴は、本発明の範囲内で、本明細書に記載の任意の１つ以上の別の特徴と任意の組み合わせで結合可能である。
【００４６】
本明細書における任意の先行技術文献は、先行技術が共通の一般知識の一部を形成するという旨の自認または任意の形態の示唆として見なすべきではない。
【００４７】
本発明の多様な実施形態を、添付図面を参照して説明する。
【図面の簡単な説明】
【００４８】
【図１ａ】本発明の一実施形態による、靴の形態の履物物品の分解図である。
【図１ｂ】組み立てられた図１の靴の説明図である。
【図２ａ】図１における靴の一部の分解断面図である。
【図２ｂ】組み立てられた図１における靴の一部の断面図である。
【図３ａ】本発明の一実施形態による、サンダルの頂面図である。
【図３ｂ】図３ａのサンダルの側面図である。
【図３ｃ】図３ａのサンダルの正面図である。
【図３ｄ】本発明の一実施形態による、図３ａのサンダルの第１アッパー部分の説明図である。
【図４】本発明の一実施形態による、図３ａのサンダルの代替的な構成の説明図である。
【図５ａ】本発明の一実施形態による、ブーツの側面図である。
【図５ｂ】図５ａのブーツの正面図である。
【図６】図５ａのブーツの第２アッパー部分の説明図である。
【図７ａ】本発明の代替的な実施形態による、ミッドソールの説明図である。
【図７ｂ】スペーサ要素を含む、伸長形態の図７ａにおけるミッドソールの説明図である。
【図８ａ】本発明の一実施形態による、サンダルの説明図である。
【図８ｂ】付加的なヒール部分を含む、図８ａのサンダルの説明図である。
【図９】本発明の一実施形態による、靴の形態である履物物品の分解図である。
【図１０ａ】チャネルを含む、図９の靴の拡大正面図である。
【図１０ｂ】図９の靴の係止部材の拡大図である。
【図１１】マウント部と係合された図９の靴におけるつま先部材の断面図である。
【図１２】本発明の一実施形態による、靴９００のヒール９１５ａの断面図である。
【図１３】本発明の一態様による、靴１３００の下側から見た分解斜視図である。
【図１４】本発明の一態様による、靴１４００の部分説明図である。
【発明を実施するための形態】
【００４９】
本発明の好適な特徴、実施形態、および変形形態は、当業者が本発明を実施するのに十分な情報を提供する以下の詳細な説明から理解されよう。詳細な説明は、先行する本発明の要約の範囲を何らかの方法で限定するものと見なすべきではない。
【００５０】
図１ａは、本発明の一実施形態による、靴１００の形態の履物物品の分解図を示す。図１ｂは、組み立てられた靴１００を示す。
【００５１】
靴１００は、以下において更に検討するように、多目的に利用可能であり、スタイルや快適性に合わせて、かつ、消耗した際に交換することができる。特に、靴１００の構成要素を交換して異なるタイプの靴を形成することができる。
【００５２】
靴１００は、アッパー１０５、ミッドソール１１０、およびソール１１５を含む。アッパー１０５は、レザー、キャンバス、または任意の他の好適な天然あるいは人工材料を含むことができ、かつ、装飾物を含むこともできる。ソール１１５は、前方ソール１１５ａおよびヒール１１５ｂを備える。前方ソール１１５ａおよびヒール１１５ｂは、使用時において、地面に直接的に接触する。ソール１１５は、樹脂、ゴム、レザー、または任意の他の好適な材料を含むことができる。
【００５３】
アッパー１０５は、ミッドソール１１０に着脱可能に連結され、ソール１１５は、ミッドソール１１０に着脱可能に連結される。従って、アッパー１０５を交換して、靴１００の外観または機能を変更することができる。同様に、例えば摩耗したため、または、例えば、靴のヒール高さを高くする等、靴のスタイルを変化させるため、ソール１１５を交換することができる。
【００５４】
アッパー１０５は、以下に記載のように、複数の保持部材１２０ａによって、ミッドソール１１０に着脱可能に連結される。同様に、ソール１１５は、以下に記載のように、複数の保持部材１２０ｂによって、ミッドソール１１０に着脱可能に連結される。
【００５５】
図２ａは、本発明の一実施形態による、保持部材１２０ａ，１２０ｂを示す、靴１００の分解断面図である。図２ｂは、組み立てられた靴１００の断面図を示す。
【００５６】
保持部材１２０ａは、上側球状ヘッド２０５ａと、上側保持溝２１０ａと、上側球状ヘッド２０５ａを保持するために上側保持溝２１０ａ内に配置した上側保持アーム２１５ａのペアとを備える。同様に、保持部材１２０ｂは、下側球状ヘッド２０５ｂと、下側保持溝２１０ｂと、下側球状ヘッド２０５ｂを保持するために下側保持溝２１０ｂ内に配置した下側保持アーム２１５ｂのペアとを備える。
【００５７】
使用時において、アッパー１０５は、保持部材１２０ａによって、ミッドソール１１０にプレス嵌めされ、ソール１１５は、保持部材１２０ａによって、ミッドソール１１０にプレス嵌めされる。上側および下側保持アーム２１５ａ，２１５ｂのペアが外方に屈曲することにより、球状ヘッド２０５ａ，２０５ｂを保持溝２１０ａ，２１０ｂに収め、かつ、球状ヘッド２０５ａ，２０５ｂを部分的に包囲することができる。
【００５８】
アッパー１０５またはソール１１５のいずれかを靴１００から取り外すべき場合には、そのいずれかを靴からミッドソール１１０にほぼ垂直な方向に強く引けばよい。これにより、保持アーム２１５ａ，２１５ｂのペアが外方に屈曲することで、球状ヘッド２０５ａ，２０５ｂをミッドソール１１０から外すことができる。
【００５９】
図２ａ〜図２ｂに示した実施形態において、ミッドソール１１０は、保持溝２１０ａ，２１０ｂを含み、アッパー１０５およびソール１１５は、球状ヘッド２０５ａ，２０５ｂを含む。これにより、ミッドソールの厚みが減少するため、靴の厚み／高さを減少させることができる。
【００６０】
特に、球状ヘッド２０５ａ，２０５ｂは、ミッドソール１１０の外周に沿って交互に配置されてミッドソール１１０に取り付けられるように、それらをアッパー１０５およびソール１１５上に配置してもよい。従って、ミッドソールは、ミッドソール１１０の剛性を保持しつつ、球状ヘッド２０５ａ，２０５ｂの高さ２２０の約２倍となることができる。特定の実施形態によると、ミッドソール１１０の高さは、球状ヘッド２０５ａ，２０５ｂの高さ２２０の２倍未満である。
【００６１】
球状ヘッド２０５ａ，２０５ｂは、例えば、金属またはプラスチックから形成され得る。保持溝２１０ａ，２１０ｂは、例えば、ミッドソール１１０上に金属トラックを備え得る。そのような配置により、強固に取り付けることで、使用中における通常の摩耗に耐えることができ、アッパー１０５およびソール１１５がミッドソール１１０から不注意に分離するのを防ぐ。
【００６２】
特定の実施形態によると、ミッドソール１１０に容器を設ける。従って、以下に検討するトウピース等の靴の構成要素を容器内に収めることができる。容器は、有利には、ミッドソール１１０およびアッパー１０５が分離しているとき、または、ミッドソール１１０およびソール１１５が分離しているとき、アクセス可能となる一方、ミッドソール１１０がアッパー１０５およびソール１１５に接続されているとき、アクセス不能となる。容器は、ミッドソール１１０を支持するためシャンクを受容するように構成されてもよい。
【００６３】
クッション付きインナーソールは、ミッドソール上に留めてもよく、容易に取り外し、および交換が可能である。このような場合、クッション付きインナーソールを取り外すことによって（または部分的に取り外すことによって）容器にアクセス可能となる。
【００６４】
特定の実施形態によると、容器は、無線装置を含む。例えば、容器は、レシーバに対する靴１００の近接を検知するための近距離通信装置（図示せず）を含んでもよい。そのような構成は、子供／靴が親の近くから離れた場合に親が警告を受けるため、特に、子供が使用する場合に有利である。
【００６５】
保持溝２１０ａ，２１０ｂは、靴１００を組み立てた際に、少なくとも部分的に（または完全に）隠蔽されることが好ましい。
【００６６】
履物物品を靴１００として図示したが、当業者は、本発明から逸脱することなく、履物物品にブーツ、靴、サンダル、スリッパ、安全靴、ウェッジ、任意の他の好適な履物物品、またはそれらの組み合わせを含み得ることを容易に理解されよう。
【００６７】
図３ａは、本発明の一実施形態による、サンダル３００の頂面図を示す。図３ｂは、サンダル３００の側面図を示し、図３ｃは、サンダル３００の正面図を示す。
【００６８】
サンダル３００は、ソール３０５と、ソール３０５に着脱可能に連結されたトウピース３１０と、複数の保持溝３２０によってソール３０５に着脱可能に連結された第１および第２アッパー部分３１５ａ，３１５ｂとを備える。トウピース３０５により、着用者の足を支持し、特に、（母趾または「親指」としても既知である）最内の足指と、（「人差し指」としても既知である）第２の足指とを係合することによって、サンダル３００内において足が前方にスライドするのを防ぐ。
【００６９】
トウピースは、ボスを備えてもよい。ボスにより、足がサンダル３００から分離するのを防ぐことができる。トウピースは、ユーザのつま先を受容するためのトウリングを備えてもよい。トウピースは、足に亘り延在するストラップ等、アッパーの一部を受容するための開口部を含んでもよい。
【００７０】
第１および第２アッパー部分３１５ａ，３１５ｂは、靴１００のアッパー１０５と同様であり、着用者の足に外的支持を提供する。同様に、ソール３０５も、靴１００のミッドソール１１０／ソール１１５と同様である。
【００７１】
図３ｄは、本発明の一実施形態による、靴３００の第１アッパー部分３１５ａを示す。
【００７２】
第１アッパー部分３１５ａは、球状ヘッド２０５ａと、球状ヘッド２０５ａ間を延在する中間部分３２０とを備える。中間部分３２０は、例えば、金属製球状ヘッド２０５ａが延在するレザー部分を備えることができる。代替的に、第１アッパー部分３１５ａは、例えば、プラスチックまたはゴムベースの材料から一体的に形成される。
【００７３】
特定の実施形態（図示せず）によると、ソール３０５は、靴１００のミッドソール１１０およびソール１１５と同様に、ミッドソールおよびソールを備える。
【００７４】
靴３００をサンダルの形態で示す。しかしながら、上述したように、多様な異なるアッパーをソールに取り付けることができ、これにより、オープンシューズ、クローズシューズ、ブーツ等を形成することができる。特に、トウピース３０５を使用することで、足が前方に滑り、ハイヒールから抜けるのを防ぐ。
【００７５】
図４は、本発明の一実施形態による、サンダル３００の代替的な構成を示す。
【００７６】
サンダル３００は、サンダル３００の各側面上の保持溝３２０からトウピース３１０に延在する第１および第２アッパー部分４０５を含む。従って、サンダル３００は、フリップフロップ（またはオーストラリア英語で言えば「トング」）に変更されている。
【００７７】
図５ａは、本発明の一実施形態による、ブーツ５００の側面図を示し、図５ｂは、ブーツ５００の正面図を示す。
【００７８】
ブーツ５００は、前方ソール５０５ａおよびヒール５０５ｂの形態のソール５０５と、ソール５０５に取り付けられた第１アッパー部分５１０と、第１アッパー部分に着脱可能に取り付け可能な第２アッパー部分５１５とを備える。ブーツ５００の着用中において、第２アッパー部分５１５が第１アッパー部分５１０に連結可能となるように、第２アッパー部分５１５は、第１アッパー部分５１０に着脱可能に取り付けられる。
【００７９】
第１アッパー部分５１０は、足を包み込む靴状アッパー部分を備え、第２アッパー部分５１５は、着用者のふくらはぎを包み込む管状部分を備える。従って、ブーツ５００は、ブーツを脱ぐことなく、アンクルブーツ／シューズとハイブーツとの間で切り替え可能となる。特に、第１ジッパー５２０により、第１アッパー部分５１０を第２アッパー部分５１５に着脱可能に接続することができる。
【００８０】
第２アッパー部分５１５は、ブーツにおいて典型的に実施されるように、第２アッパー部分５１５が足上をスライドするのではなく、足の周囲を包囲することを可能とする第２ジッパー５２５を含む。これにより、第１部分５１０が着用者の足上に既にある一方で、第２アッパー部分５１５を足の周囲に包囲することができる。
【００８１】
第１アッパー部分５１０に取り付けられない場合、ブーツ５００の第２アッパー部分５１５は、平坦なシートに展開され得る。図６は、展開された形態のブーツ５００の第２アッパー部分５１５を示す。展開された第２アッパー部分５１５は、ハンドバッグ等にコンパクトに収めることができる。
【００８２】
ブーツ５００は、更に、第２アッパー部分５１５の内側上にポケット６０５を含む。ポケット６０５は、有利には、クレジットカードやデビットカード（図示せず）を受容するか、または現金や鍵等を格納するサイズである。
【００８３】
ブーツ５００を取り外すことなく、第２アッパー部分５１５を取り外すことができるように、第２アッパー部分５１５が取り付けられるとき、ポケット６０５の内容物を安全に保護しつつ、ブーツ５００を取り外すことなくポケット６０５にアクセスすることができる。従って、ブーツ５００は、財布を持ち運ぶ代わりとなり、利便性かつ安全性を提供する。
【００８４】
第１および第２アッパー部分５１０，５１５を接続し、かつ、第２アッパー部分５１５に沿ったジップを有するブーツ５００を示す。しかしながら、当業者は、本発明から逸脱することなく、靴紐、面ファスナー、スタッド、スナップボタン、バックル、ホック、クリップ等の使用を含む別の取付手段を使用し得ることを容易に理解されよう。
【００８５】
同様に、ブーツ５００は、第２アッパー部分５１５に連結される第３および第４アッパー部分を含んでもよい。特に、いくつかのアッパー部分を接合して、ブーツ５００の足部分の高さを高くすることも可能である。そのような場合においては、第１および第２アッパー部分５１０，５１５を参照して上述したのと同様の方法により、アッパー部分を第２アッパー部分５１５に、および／または、相互に取り付けることができる。
【００８６】
図７ａは、本発明の代替的な実施形態による、ミッドソール７００を示す。ミッドソール７００の長さは、調節可能である。
【００８７】
ミッドソール７００は、第１部分７０５および第２部分７１０を備える。第１部分７０５および第２部分７１０は、ミッドソールの中心部分において接合する。従って、第１部分７０５および第２部分７１０を分離して、ミッドソール７００の長さを伸ばすことができる。
【００８８】
図７ｂは、スペーサ要素７１５を含む、伸長形態のミッドソール７００を示す。特に、第１部分７０５および第２部分７１０を分離し、スペーサ要素７１５を第１部分７０５および第２部分７１０の間に配置して、ミッドソール７００の長さを伸ばした。
【００８９】
第１部分７０５および第２部分７１０は、相互に、またはスペーサ要素７１５に接合されてもよい。代替的に、第１部分７０５および第２部分７１０は、図１のソール１１５またはアッパー１０５等のアウトソールおよび／またはアッパーによって固定されてもよい。
【００９０】
ミッドソール７００を、例えば、ミッドソールの第１部分７０５または第２部分７１０に適用することにより、幅が調節可能となることを当業者は容易に理解されよう。
【００９１】
代替的または付加的に、靴幅はアッパー１０５によって調節可能となる。特に、例えば、アッパー部分のオーバーラップを増加することにより、靴幅を減少させることによって、または、アッパー部分のオーバーラップを減少することにより、靴幅を増加させることによって、アッパーの幅が調節可能となる。
【００９２】
更に、多様なサイズのアッパーを設けて、異なるサイズの足および異なる長さの脚を収容することができる。一実施例として、子供の足が成長した場合または変更が必要な場合、ミッドソール７００を保持しつつ、子供は靴のアッパーを交換することができる。従って、靴の重要な部分を再利用することができる。
【００９３】
図８ａは、本発明の一実施形態による、サンダル８００を示す。サンダル８００は、ソール８０５と、ソール８０５のアッパー側面に連結されたストラップ８１０と、ソール８０５の下側に連結された第１ヒール部分８１５とを含む。
【００９４】
第１ヒール部分８１５ａは、例えば、図２ａおよび図２ｂを参照して上述したのと同様のメカニズムを使用することによって、ソール８０５に着脱可能に連結されてもよい。
【００９５】
第２ヒール部分８１５ｂは、図８ｂに示したように、サンダル８００のヒール部分の高さを高くするために、第１ヒール部分８１５ａに着脱可能に連結されてもよい。
【００９６】
特定の実施形態において、２つのヒール部分８１５ａ，８１５ｂより多くのヒール部分をサンダル８００に連結して、靴の高さを高くすることができる。例えば、３、４、または５個のヒール部分を接合して、ヒールの高さを増加させてもよい。
【００９７】
特定の実施形態によると、第１ヒール部分８１５ａは、ネジやボルト等によってソールに連結される。そのような場合において、ソールの容器内にツールを設けて、第１ヒール部分８１５ａを除去および／または交換することができる。第２ヒール部分８１５ｂは、同様の方法により、第１ヒール部分８１５ａに連結され得る。
【００９８】
別の実施形態によると、第１ヒール部分８１５ａは、クリップやプレスフィット保持具等によってソールに連結される。そのような場合において、第１ヒール部分８１５ａを除去および／または交換する上でツールは必要ない。
【００９９】
図９は、本発明の一実施形態による、靴９００の形態の履物物品の分解図を示す。この靴は、図１ａおよび図１ｂの靴１００に類似している。
【０１００】
靴９００は、アッパー９０５、ミッドソール９１０およびソール９１５、並びにインソール９２０を含む。アッパー９０５、ミッドソール９１０、およびインソール９２０は、全て、以下に更に説明するように、相互に着脱可能に連結されている。更に、ソール１１５は、ミッドソール９１０と着脱可能に係合可能なヒール９１５ａ（図１２参照）を含む。
【０１０１】
アッパー９０５は、係止部材９２５によって、ミッドソール９１０に着脱可能に連結される。この係止部材９２５は、図１０ａおよび図１０ｂにおいて、以下に更に説明するように、チャネル９３０に沿ってスライドし、かつ、チャネル９３０内で係止する。係止部材９２５は、続いて、インソール９２０によって固定されることにより、ミッドソール９１０に亘ってフィットし、続いて、係止部材９２５およびチャネル９３０に亘ってフィットする。
【０１０２】
インソール９２０は、更に、開口部９３５を含み、この開口部９３５を通じて、アッパー９１０のつま先部材９４０は延在し、かつミッドソール９１０のマウント部９４５内で係止する。特に、図１１を参照して更に詳しく検討するように、つま先部材９４０をマウント部９４５内に嵌め込み、マウント部９４５に対してつま先部材９４０を回転することによって固定することができる。
【０１０３】
図１０ａは、チャネル９３０を備える靴９００の拡大正面図を示しており、図１０ｂは、係止部材９２５の拡大図を示す。
【０１０４】
チャネル９３０は、床面１００５と、床面１００５から上方に延在する対向側壁１０１０ａ，１０１０ｂと、側壁１０１０ａから内方に延在するレール１０１５とによって画定される。係止部材９２５は、基部１０２０と、基部１０２０から上方に延在する対向側壁１０２５ａ，１０２５ｂと、チャネル１０３０とによって、画定される。
【０１０５】
係止部材９２５は、横方向への移動がレール１０１５および側壁１０１０ａ，１０１０ｂによって妨げられている間に、チャネル９３０に沿ってスライドするように構成される。特に、係止部材９２５の側壁１０２５ａ，１０２５ｂがチャネル９３０の側壁１０１０ａ，１０１０ｂに隣接することにより、チャネル９３０における係止部材９２５の回転が妨げられ、レール１０１５は、チャネル１０３０と係合して、係止部材９２５の横方向への移動を防ぐ。
【０１０６】
チャネル９３０の床面１００５は、チャネル９３０の長さに沿って一定に離間した複数の窪み１０３５を含む。係止部材９２５は、基部１０２０から下方に延在する突起（図示せず）を含み、この突起は、複数の窪み１０３５のうちの１つの窪みと係合することにより、係止部材９２５がチャネル９３０に沿って自由にスライドするのを防ぐ。従って、アッパーは、係止部材９２５によって固定される。
【０１０７】
図１１は、マウント部９４５と係合する、つま先部材９４０の断面図を示す。
【０１０８】
つま先部材９４０は、３つのローブ１１０５を有する金属製またはプラスチック製のボスを備える。このローブ１１０５は、ボスが中心から３０°だけ捻られると、マウント部９４０の対応する溝と整列する。つま先部材９４０をマウント部９４５内に押し出すことで、ローブ１１０５はチャネルに沿って移動し、続いて、係止位置まで回転することで、ローブがもはや溝とは整列しないことにより、つま先部材９４０が意図せず外れることを防ぐ。
【０１０９】
マウント部９４５は、マウント部の周囲の周りに延在する成型されたリッジを備え、このリッジを通じて溝が延在している。従って、成型されたリッジにより、ローブ１１０５と共につま先部材９４０が外れるのを防ぐ。
【０１１０】
ソール９１５の管状マウント部は、マウント部９４５内に上方に延在しており、正面ソールマウントクリップリッジ１１１５を含む。この正面ソールマウントクリップリッジ１１１５は、ミッドソールの成型されたリッジに対して着座しており、つま先部材９４０が靴から外れるのを防ぐ。
【０１１１】
図１２は、本発明の一実施形態による、靴９００のヒール９１５ａの断面図を示す。
【０１１２】
ヒールは、部分的にオーバーモールドされ、かつ、ミッドソール９０５のマウント部内に延在し、ミッドソール９０５のマウント部と係合するように構成された安全ピン１２０５を含む。安全ピン１２０５のアッパー部分は、中空であり、インソール９２０の安全ピン１２１０を受容するように構成される。安全ピン１２１０は、安全ピン１２０５の締結チャネル１２１５をミッドソール９０５のマウント部の締結リッジ１２２０に対して偏らせる。
【０１１３】
インソール９２０は、リベットによって、ミッドソール９０５に着脱可能に結合される。特に、インソール９２０の雄リベット１２２５は、プレスフィットと同様の動作によって、ミッドソールの雌リベット１２３０と係合する。
【０１１４】
最後に、ミッドソールは、ヒール９１５ａを靴９００上に配置する際にユーザの助けとなる、四角形状の配置ボス１２３５を含む。特に、ヒール９１５ａは、対応する凹部を含み、この凹部により、ヒール９１５ａを取り付ける際に、ヒール９１５ａと、特に固定ピン１２０５とをマウント部と確実に整列させる。
【０１１５】
図１３は、本発明の一実施形態による、靴１３００の下方の分解斜視図を示す。靴１３００は、インナーソール１３０５と、支持シャンク１３１０と、ミッドソール１３１５と、正面ソール１３２０ａおよびヒール１３２０ｂの形態のソールとを含み、靴９００に類似している。
【０１１６】
インナーソール１３０５は、スナップフィットと同様の方法でミッドソール１３１５の対応する凹部と係合する複数のボールスタッド１３２５を含む。
【０１１７】
ストラップおよびバンプ等のアッパー、並びに、バンド、リボン、花、チェーン等のアッパーアクセサリーは、アクセサリーの一部を１つ以上のボールスタッド１３２５上に押し付けることによって、靴１３００に取り付け可能となるよう、孔部を含んでもよい。これにより、アッパーまたはアッパーアクセサリーを靴に固定するための追加のシステムが不要となり、かつ、組み立てを簡易化する。
【０１１８】
シャンク１３１０は、ミッドソール１３１５の凹部およびインナーソール１３０５の下側に受容され、ミッドソール１３１５を支持し、靴１３００を形付ける。ミッドソール１３１５は、全体的に、準軟質材料から形成され、異なるシャンク１３１０に適合して、異なるヒール高さのための異なる形状を提供するように構成される。
【０１１９】
上記の履物物品は、非常に多目的に利用可能であり、ファッションの変化や（例えば、安全要件の追加を通じた、あるいは天気の変化による）要件の変化、または、特に子供の場合においては足の成長による変化に適応するのに適している。また、この履物物品は、靴の異なる部分を摩耗により交換できるため、耐用年数を伸ばすことが可能となる。
【０１２０】
特定の実施形態によると、保持部材は、着用者の快適性を高めるため、柔らかい内部オーバーレイを含んでもよい。
【０１２１】
図１４は、本発明の一実施形態による、靴１４００の一部を示す。靴１４００の長さおよび／または幅は、以下に更に詳述するように、調節可能である。
【０１２２】
靴１４００は、シャンク１４１０によって保持かつ支持される、正面ミッドソール部分１４０５ａおよび後方ミッドソール部分１４０５ｂを有するミッドソールを備える。後方ミッドソール部分１４０５ｂは、正面ミッドソール部分１４０５ａの対応する部分と係合する第１および第２ピン１４１５を含むことにより、正面ミッドソール部分１４０５ａおよび後方ミッドソール部分１４０５ｂの間に横方向への支持を提供する。
【０１２３】
シャンク１４１０は、正面ミッドソール部分１４０５ａおよび後方ミッドソール部分１４０５ｂの円形クリップ１４２５と係合する正面および後方開口部１４２０を含む。従って、シャンク１４１０は、ミッドソールを支持するだけでなく、正面ミッドソール部分１４０５ａが後方ミッドソール部分１４０５ｂと分離するのを防ぐ。
【０１２４】
靴１４００は、正面ミッドソール部分１４０５ａを交換することによって、より幅広に、および／または、より長く製造されてもよい。または、靴１４００は、任意の方法で、適合する正面および後方ミッドソール部分１４０５ａ，１４０５ｂを選択することにより調整してもよい。
【０１２５】
上述した履物物品は、キットとして提供されてもよい。特に、靴の外観または機能を変化させるため、いくつかのアッパー部分、いくつかのヒール部分、および／または、いくつかのソール部分を含むキットを提供してもよい。アッパー部分は、異なる材料、色調、サイズ、長さ、スタイル、および厚みで提供することにより、履物のスタイルや機能を変化させることができる。同様に、異なる高さ、色調、またはスタイルのヒールおよび／またはソールを提供してもよい。
【０１２６】
履物物品は、内側および／または外側に取付点を有するトウおよびヒールアッパーを含んでもよい。この取付点を使用して、正面トウ部分および後方ヒール部分をストラップ、リボン、紐、スカーフ、または他の手段によって取り付けて、快適性およびスタイルを強化することができる。
【０１２７】
非使用時に、アッパーストリップを使用して、ミッドソール上のトラック／保持溝を被覆してもよい。
【０１２８】
上述した履物物品は、主に婦人靴である。しかしながら、当業者は、本明細書に記載の靴が、男性用、子供用、または男女両用の靴に簡単に修正され得ることを容易に理解されよう。
【０１２９】
本明細書および特許請求の範囲における用語「備え」やその派生語「備える」は、言及した各整数を含むが、更なる１つ以上の整数を除外するものではない。
【０１３０】
本明細書を通じて参照する「一実施形態」とは、ある実施形態に関連して記載した特定の特性、構造または特徴が本発明の少なくとも一実施形態に含まれることを意味する。即ち、本明細書の様々な個所における「一実施形態において」という字句の出現は、必ずしも全てが同一の実施形態を示しているわけではない。更に、特定の特性、構造または特徴の１つ以上を任意の好適な方法によって組み合わせることにより、結合してもよい。
【０１３１】
法令に従って、本発明における特定の構造的または方法的な特徴を説明した。しかしながら、本発明は、図示または記載した特定の特徴に限定されるものではないことを理解すべきである。本明細書に記載した手段は、本発明を実施するのに好適な形態の例示に過ぎない。即ち、本発明は、添付の特許請求の範囲を当業者が適切に解釈した場合の適正な技術的範囲内における任意の形態または変形にも及ぶものである。
【図１ａ】
2017527420.tif 000003
【図１ｂ】
2017527420.tif 000004
【図２ａ】
2017527420.tif 000005
【図２ｂ】
2017527420.tif 000006
【図３ａ】
2017527420.tif 000007
【図３ｂ】
2017527420.tif 000008
【図３ｃ】
2017527420.tif 000009
【図３ｄ】
2017527420.tif 000010
【図４】
2017527420.tif 000011
【図５ａ】
2017527420.tif 000012
【図５ｂ】
2017527420.tif 000013
【図６】
2017527420.tif 000014
【図７ａ】
2017527420.tif 000015
【図７ｂ】
2017527420.tif 000016
【図８ａ】
2017527420.tif 000017
【図８ｂ】
2017527420.tif 000018
【図９】
2017527420.tif 000019
【図１０ａ】
2017527420.tif 000020
【図１０ｂ】
2017527420.tif 000021
【図１１】
2017527420.tif 000022
【図１２】
2017527420.tif 000023
【図１３】
2017527420.tif 000024
【図１４】
2017527420.tif 000025
【国際調査報告】
2017527420.tif 000026
2017527420.tif 000027
2017527420.tif 000028